【事件の表示】
　平成１１年特許願第１６６６号「再生装置、記録再生装置、再生方法および記録再生方法」拒絶査定不服審判事件〔平成１１年１０月８日出願公開、特開平１１−２７３２２４〕について、次のとおり審決する。
【結　論】
　本件審判の請求は、成り立たない。
【理　由】
第１　手続の経緯
　
　本願は、平成１１年１月７日（優先権主張平成１０年１月７日、特願平１０−１５２０号）の出願であって、平成１５年７月２日付け拒絶理由通知に対して、同年９月５日付けで意見書及び手続補正書が提出されたが、同年１０月７日付けで拒絶すべき旨の査定がされ、これに対し、同年１１月１３日に拒絶査定に対する審判が請求されるとともに、同年１２月２日付けで明細書について手続補正書が提出されたものである。
　
　
第２　平成１５年１２月２日付けの手続補正についての補正却下の決定
　
〔補正却下の決定の結論〕
　平成１５年１２月２日付けの手続補正（以下、「本件補正」という。）を却下する。
　
〔理　由〕
１．本件補正前及び本件補正後の本願発明
　本件補正は、特許請求の範囲及び発明の詳細な説明についてするものである。まず補正の目的が適法なものであるか請求項１について検討する。
　
　請求項１については、本件補正前には
「【請求項１】
　情報記録媒体に記録されている記録情報を再生する再生装置であって、
　前記情報記録媒体から前記記録情報を再生するドライブと、
　前記ドライブに装着されている情報記録媒体の識別子と、前記ドライブが再生している記録情報の記録媒体上の位置を示す位置情報と、前記記録媒体の再生に利用される設定情報と、を互いに対応付けて記憶する不揮発性メモリと、を備え、
　前記位置情報及び前記設定情報を、所定の時間または周期で更新することを特徴とする再生装置。」
とあったものを、
　
「【請求項１】
　映像または音声情報の表現方法を定めた設定情報に従って、情報記録媒体に記録されている映像または音声情報を再生する再生装置であって、
　前記情報記録媒体から前記映像または音声情報を再生するドライブと、
　前記ドライブに装着されている情報記録媒体の識別子と、前記ドライブが再生している映像または音声情報の前記情報記録媒体上の位置を示す位置情報と、前記設定情報と、を互いに対応付けて記憶する不揮発性メモリと、を備え、
　前記位置情報及び前記設定情報を、所定の時間または周期で更新することを特徴とする再生装置。」
と補正しようとするものである。
　
　すると、請求項１についての補正は、本件補正前の「記録情報」及び「再生に利用される設定情報」を、それぞれ「映像または音声情報」及び「映像または音声情報の表現方法を定めた設定情報」と限定するものである。請求項２乃至８についての補正も同様である。したがって、特許請求の範囲についての補正は、特許法第１７条の２第４項第２号に掲げる事項を目的とするものである。
　そこで、本件補正後における特許請求の範囲に記載されている事項により特定される発明が特許出願の際独立して特許を受けることができるものであるか（平成１５年改正前特許法第１７条の２第５項において準用する同法第１２６条第４項に規定する要件を満たすか）否かを、請求項１に係る発明（以下、「本願補正発明」という。）について以下に検討する。
　
２．特許法第２９条第２項についての検討
（１）引用例
ア．第１引用例
　原査定の拒絶の理由に引用された、本願の優先権主張の日前に頒布された刊行物である特開昭６０−５２９８６号公報（以下、「第１引用例」という）には、図面とともに以下の技術事項が記載されている。
　
（ａ）
「第１図には、通常用いられるデジタルオーディオディスク（ＤＡＤ）が示されており、このディスクはディスク中央のリードイン部分１００に、ディスク固有の識別データ及び録音された曲数、各曲の頭のアドレス等がデジタル信号をもって記録されている。そして、該リードイン部分１００の外側に設けられた渦巻き状のトラックＡ内には、所定の音楽情報がデジタル信号をもって書込記憶されており、該情報を光学的手段をもって読出すことによりディスク内に書込記憶されている音楽情報を音声として出力することが可能となる。」（２頁右下欄第１４行〜３左上頁欄第４行）
　
（ｂ）
「第２図には、本発明の方法が適用される車両用のＤＡＤプレーヤの好適な実施例が示されており、実施例のプレーヤは、操作パネル１０と、該操作パネル１０の操作に対応して駆動される電源回路１２，制御回路１４及び再生機構１６とから構成されている。
（中略）
　また、電源スイッチ２０は後述するディスクセンサ１８がプレーヤへのディスクの装着を検出することによりオンされ、バッテリー電源と電源回路１２とを電気的に接続する。
　電源回路１２は、これにより作動し、バッテリー電源からの入力を所定の電圧に変換して、操作パネル１０，制御回路１４及び再生機構１６に向けそれぞれ供給する。
　また、制御回路１４は、ＣＰＵ３０と、ＲＡＭ３２とを含み、操作パネル１０上のファンクションキー配列２２、テンキー２４の操作及び再生機構１６からの信号に基づき、第３図に示すフローチャートに従って再生機構１６の制御を行う。
　また、前記ＲＡＭ３２は、デジタルオーディオディスクの識別データ及び再生中断アドレスからなるディスク情報をＣＰＵ３０からの制御信号に従い書込及び読出している。
　本発明の特徴的事項は、ＲＡＭ３２に、ディスク複数枚分のディスク情報、実施例においては、ディスク１０枚分のディスク情報を書込記憶する記憶エリア３２−１、３２−２・・・３２−１０を設け、ＣＰＵ３０の制御信号に従い所望の記憶エリアに対しディスク情報の書込及び読出しを可能としたことにある。（中略）
　ここにおいて、再生中断アドレスは、再生ディスクの再生中断位置を表し、再生ディスクの再生を中断した直後におけるピックアップの位置又はディスクの最初から演奏を中断するまでの演奏時間などをもって容易に特定することが可能である。
　更に、ＣＰＵ３０は、例えば再生機構１６から入力される情報に従いディスク再生中の状態、たとえば現再生中の曲番を操作パネル１０上の表示部２８に表示させる。
　実施例の再生機構１６は、制御回路１４からの制御信号に基づき、ディスクの回転駆動、ピックアップの位置制御、ピックアップデータからの抽出信号処理等を行い再生ディスクの音楽信号を図示しないスピーカから出力するよう構成されている。」（３頁左上欄第５行〜右下欄第７行）
　
（ｃ）終了動作として、
「すなわち第１に（中略）ディスクの再生動作を停止する。
　第２に、再生ディスクの識別データ及び再生中断アドレスからなるディスク情報をＲＡＭ３２内のｎ番目の記憶エリア３２−ｎへ書込記憶する。
（中略）
第５に、再生ディスクをイジェクトする。
第６に前記ＲＡＭ３３及びインジケータ２６へのバックアップ電源を残し、プレーヤ電源を自動的にオフする。
（中略）
　本発明はこのようなディスクの再生動作及び終了動作を繰返すことによりＣＰＵ３０のカウントｎを順次ディクリメントし、対応するＲＡＭ３２内の記憶エリア３２−ｎへ順次ディスク情報を書込記憶していく。この結果、ＲＡＭ３２の各記憶エリアにはディスク複数枚分のディスク情報が書込記憶されることとなる。
　そして、ＲＡＭ３２内へディスク情報が記憶されている状態でプレーヤへディスクが再度装着されると、（中略）ＣＰＵ３０は、装着ディスクのリードイン部分から該ディスクの識別データを読出し、該読み出しデータがＲＡＭ３２内にすでに書込記憶されているディスクの識別データのいずれかと一致するか否かの判別を行う。
　そして、この判別の結果、該装着ディスクから読出された識別データが、たとえばＸ番目、すなわち、記憶エリア３２−ｘ（１≦ｘ≦１０）内に書込記憶されている識別データと同一であると判別された場合には、ＣＰＵ３０は該識別データと対応して記憶エリア３２−ｘ内に記憶された再生中断アドレスを読み出し、この再生中断アドレス位置から装着ディスクの再生を開始する。」（４頁左上欄第１８行〜右下欄第７行）
　
　上記引用例記載事項及び図面を総合勘案すると、第１引用例には、結局、次の発明が記載されている（以下、「引用発明」という）。
「デジタルオーディオディスク（ＤＡＤ）にデジタル情報をもって書込記憶された音楽情報を読み出し、再生するＤＡＤプレーヤであって、
　ディスクから音楽信号を再生する再生機構と、
　ディスクの再生動作を停止すると、デジタルオーディオディスクの識別データ、及び再生ディスクの再生を中断した直後におけるピックアップの位置又はディスクの最初から演奏を中断するまでの演奏時間などをもって特定される再生中断アドレスからなるディスク情報を、ＣＰＵ３０からの制御信号に従い書込及び読出す、電源でバックアップされたＲＡＭ３２と、
　を備えた、ＤＡＤプレーヤ。」
　
イ．第２引用例
　同じく原査定の拒絶の理由に引用された、本願の優先権主張の日前に頒布された刊行物である特開昭５９−１９５３９１号公報（以下、「第２引用例」という）には、図面とともに以下の技術事項が記載されている。
　
（ｄ）
「コンパクトディスクの演奏経過段階に関するデータ、あるいは該データと演奏方法に関するデータを記憶する記憶手段と、演奏中止後に再開される演奏動作を前記記憶手段に記憶されているデータに基づいて決定する決定手段を有するコンパクトディスクプレーヤ。」（１頁左下欄第５行〜第１０行）
　
（ｅ）第６図を参照して
「１７は電池であって、半導体メモリ１８のバックアップを行う。（中略）２１は電源低下検出回路であってデータ保存を完全に行なう役目をなす。電池１７を内蔵することで半導体メモリ１８（揮発性）は等価的に不揮発性メモリとして使用できる。電源切断などによって直流電源２０の出力が低下したときにのみ半導体メモリ１８にデータを退避するようにしてもよいが、本実施例ではプレーヤに本来の電源供給がされたときにも半導体メモリ１８をデータの格納レジスタと用いることとし、これによってデータ退避動作を不要としている。（中略）前記半導体メモリ１８としては不揮発性半導体メモリを使用してもよく、その場合にはバックアップ用電池が不要となる利点が生じる。」（５頁左上欄第１７行〜右上欄第２０行）
　
（ｆ）
「さて、半導体メモリ１８によって保存されるべきデータに関しては、電源再投入後に連続して行わせる機能の選択で異なるが、本実施例では、以前再生していた位置から再び演奏する（以下「シーケンシャルプレイ」と称す）機能と以前操作入力されたプログラム演奏（前述）が引き続き行われる機能と考えるとすれば、最低限必要なデータは、以前再生していた位置を示す時間情報（以下「ラストタイム情報」と称す）、プログラム演奏の手順の情報（以下「プログラム情報」と称す）、およびプログラム演奏のときはどの順番の曲を再生していたかを示す情報（「ポインタ」と称す）が必要となる。このうちラストタイムとポインタについてはいつ電源切断が行なわれるか不明であるため、ディスクから頻繁に最新情報を読取って半導体メモリ１８に転送しておく必要があり、システムコントローラ１４がこの働きを行なうよう構成されているものとする。」（５頁左下欄第７行〜右下欄第４行）
　
（２）対比
　本願補正発明を、引用発明と比較すると、引用発明における「デジタルオーディオディスク（ＤＡＤ）」は、本願補正発明における「情報記録媒体」と、音声情報を記録した媒体である点において共通している。
　引用発明における「ＤＡＤプレーヤ」は、本願補正発明の「再生装置」と音声情報を再生する装置である点において共通している。
　引用発明における「再生機構」は、本願補正発明の「ドライブ」に相当する。
　引用発明における「識別データ」は、本願補正発明の「識別子」に相当する。
　引用発明における「再生中断アドレス」は、本願補正発明の「位置情報」と比較して、再生機構により実際に再生した音楽情報のＤＡＤにおける位置を示す情報である点で共通している。
　
　すると、本願補正発明と、引用発明とは、次の点で一致する。
＜一致点＞
　情報記録媒体に記録されている映像または音声情報を再生する再生装置であって、
　前記情報記録媒体から前記映像または音声情報を再生するドライブと、
　前記ドライブに装着されている情報記録媒体の識別子と、映像または音声情報の前記情報記録媒体上の位置を示す位置情報と、を互いに対応付けて記憶するメモリと、を備える
　再生装置。
　
　一方で、以下の各相違点で相違する。
（相違点１）
　本願補正発明では、映像または音声情報の表現方法を定めた設定情報に従って映像または音声情報を再生するのに対し、引用発明では音楽情報の表現方法を定めた設定情報については特に言及がない点。
（相違点２）
　本願補正発明では、メモリに、識別子と位置情報に加えて前記設定情報も対応付けて記憶するのに対し、引用発明では前記設定情報については言及がない点。
（相違点３）
　前記識別子等を記憶するメモリについて、本願補正発明では「不揮発性メモリ」であるのに対し、引用発明では電源でバックアップされたＲＡＭに記憶する点。
（相違点４）
　本願補正発明では、記憶する位置情報は、ドライブが再生している映像または音声情報の前記情報記録媒体上の位置を示すもので、前記位置情報及び前記設定情報を、所定の時間または周期で更新するものであるのに対し、引用発明では、ディスクの再生動作を停止すると、デジタルオーディオディスクの識別データ、及び再生ディスクの再生を中断した直後におけるピックアップの位置又はディスクの最初から演奏を中断するまでの演奏時間などをもって特定される再生中断アドレスからなるディスク情報を記憶することとしている点。
　
（３）判断
ア．相違点１及び２について
　「表現方法」との事項は、本件補正において初めて採用された記載であり、特許請求の範囲のみならず明細書の補正部分を参照しても明確に定義されているわけでもない。
　そこで、まず、一般的な解釈にしたがって理解すると、映像又は音楽に関しては、どのような情報がどのような順序で再生されるかは表現方法の一部をなすものと解することに格別の疑義は生じないから、第２引用例に記載されたプログラム演奏は「表現方法」に含まれるものであり、したがってプログラム演奏の手順の情報（プログラム情報）は、そのような表現方法を定めた設定情報に他ならないことになる。第２引用例に開示されたコンパクトディスクプレーヤは、再生の中断と再開に際して必要な情報を記憶しておくプレーヤである点において引用発明と互いにきわめて近接した内容を有するものであるから、引用発明のデジタルオーディオディスクプレーヤにおいても、第２引用例に開示されるようなプログラム情報を、更に記憶するように構成することは当業者が容易に想到しうるものである。
　また、前記「表現方法」について、本願明細書及び図面の記載を参酌して、いわゆるＤＶＤの再生時にユーザが選択する字幕・音声等の設定情報を指すものと解したとしても、そのような設定情報を選択することは、いわゆる当業者のみならず、ＤＶＤプレーヤのユーザなら普通に承知している程度のことにすぎず、引用例のプレーヤを周知のＤＶＤプレーヤに適用して、映像または音声情報の表現方法を定めた設定情報に従って映像または音声情報を再生することは当業者が容易に想到しうるものである。その場合には、例えば特開平９−２５９５０７号公報に、前記設定情報を、再生の都度いちいち入力する手間を省くために不揮発メモリ（図７参照：メモリ９０）に記憶させておくことが開示されているように、再生の中断、再開に際して、前記設定情報を保持することがユーザにとって好都合なのは当業者が当然想到することであるから、引用発明を周知のＤＶＤプレーヤに適用するに際して設定情報を、更に記憶するように構成することは当業者が容易に想到しうるものである。
　
イ．相違点３について
　引用発明ではＲＡＭを使用しているとはいえ、電源でバックアップするものであるから、当該電源が機能する限り、実質的に不揮発性メモリと同様、記憶内容を保持し続けることは当業者にとって自明な事項にすぎない。又、不揮発メモリを用いることも当業者が容易に想到しうるものである。この点は第２引用例の上記摘記部分（ｅ）にも開示されているとおりである。
　
ウ．相違点４について
　第２引用例には上記摘記部分（ｆ）記載のように、「ラストタイムとポインタについてはいつ電源切断が行われるか不明であるため、ディスクから頻繁に最新情報を読み取って半導体メモリ１８に転送しておく」ことが開示されている。すなわち、プレーヤが「再生している」音楽情報のディスク上での位置を更新しつつ記憶していることが示されている。「頻繁に」とは、「システムコントローラ１４がこの働きを行う」との開示から、当該コントローラの動作に従って所定の時間又は周期で最新情報に更新されるものと解されるか、またはそのように構成するとは普通の手段にすぎない程度のものである。
　なお、第２引用例の他にも、特開平８−２６３９２９号公報（第８段落参照：「図１２中のバッテリーバックアップされた（中略）記憶手段１０９には、常にディスクアクセスしている部分のアドレスが書き込まれている。すなわち、記憶手段１０９が持つアドレス情報が更新され、常に最新のアドレスを保持している。」）に同様の開示があり、相違点４とした点は周知事項にすぎないことが明らかである。
　
エ．以上の検討からすると、本願補正発明は、引用発明をはじめ各引用例に開示された事項及び周知事項に基づいて当業者が容易に発明をすることができたものであるから、特許法第２９条第２項の規定により特許を受けることができない。
　
３．特許法第２９条の２についての検討
（１）先願発明
　本願の優先権主張の日前の特許出願であって、その出願後に出願公開がされた特願平９−１３１０８０号（特開平１０−３２０８９１号、以下「先願」という）の願書に最初に添付された明細書又は図面（以下、「先願明細書等」という）には、以下の技術事項が記載されている。
　
（ｇ）
「【０００４】ところが、従来の例えばデジタルビデオディスク（ＤＶＤ）を再生するディスク再生装置では、ディスクがセットされるとまずディスクの最初から再生が開始されるものであり、例えば前回途中で中断された再生の続きを再生したい場合には、使用者がサーチ等の手段を用いて前回途中中断された再生位置を探さなくてはならない。このため使用者には、途中中断された再生位置を探すサーチ等の余分の手順を強いられることになり、またサーチのオーバーランによって先の映像が見えてしまうなど、使用者に多大な不快感を与える恐れがある。
【０００５】また従来のディスク再生装置では、例えば多重言語（マルチリンガル）や多重画角（マルチアングル）の選択も再生開始の度にやり直さなければならない。このような選択に対しては、例えば前回の選択内容を記憶しておき、次回の再生をその選択で行うことが考えられるが、例えば多重画角でディスクを交換した場合に同じ画角が所望であるとは限らない。また多重言語においても同じ言語が所望であるとは限らないと共に、多重言語の選択はメニュー画面等を出さない限り台詞が話されるまで不明であり、特に台詞が話されたときに所望の言語でないと、使用者に多大な不快感を与える恐れがあるものである。」
　
（ｈ）
「【０００８】
【発明の実施の形態】すなわち本発明においては、不揮発性のメモリを有し、再生時に少なくともディスクの識別コードと再生位置と任意に設定された情報とを不揮発性のメモリに記憶させ、再生が中断されたときに不揮発性のメモリの記憶内容を保存すると共に、次の再生時にディスクの識別コードと不揮発性のメモリに記憶された識別コードが一致したときに再生位置から設定された情報に従って再生を行ってなるものである。」
（ｉ）
「【００１６】さらに上述の装置において、主制御用マイコン７に関連して不揮発性のメモリ９が設けられる。この不揮発性のメモリ９には、上述の主制御用マイコン７に供給される各種の情報が記憶されるように構成される。すなわち、例えば上述の再生中の再生位置の情報、多重言語や多重画角の選択等の任意に設定された情報等各種の情報が、この不揮発性のメモリ９に記憶されるようにされる。
【００１７】また、上述のディスク２の所定部にはディスクの識別コードや、多重言語や多重画角の記録の有無等の各種の制御情報等を含むテーブルオブコンテンツ（ＴＯＣ）が記録されている。そしてディスク２がセットされると最初にこのＴＯＣが再生され、この再生信号がピックアップ装置１からＲＦアンプ回路３、信号処理回路４を通じて主制御用マイコン７に供給される。
【００１８】これによって主制御用マイコン７では、多重言語や多重画角の有無等の制御情報が判別されると共に、上述のディスクの識別コードが判別される。そしてこの判別されたディスク２の識別コードに基づいて、上述の再生中の再生位置の情報や、多重言語や多重画角の選択等の任意に設定された情報等の各種の情報の不揮発性のメモリ９への記憶が行われる。
【００１９】すなわちこの装置において、不揮発性のメモリ９には、例えば図２に示すような記憶エリアが設けられる。この図２において、ディスクの識別コード（Ａ、Ｂ、Ｃ・・・）ごとに、再生位置の情報と、言語及び画角の選択信号等の使用者の設定情報の記憶エリアが設けられ、それぞれの情報の記憶が行われる。なお、再生位置の情報としては、例えば始端からの合計の再生時間が記憶される。
【００２０】そしてこの記憶の書き込みは、例えばディスクの再生中は常に内容を更新して繰り返し行われる。これによって例えばディスクの再生が中断されたり、再生途中で別のディスクに交換されたような場合には、内容を更新した書き込みが行われなくなったり、ディスクの識別コードが変化することによって書き込みが停止され、その直前の情報が保存されるものである。」
　
　上に摘記した記載事項及び図面を総合勘案すると、先願明細書等には、結局、次の発明が記載されている（以下、「先願発明」という）。
「ピックアップ装置１、ＲＦアンプ回路３，信号処理回路４，サーボ用マイコン５，駆動機構６、主制御用マイコン７，キー入力装置８等を有し、
　多重言語や多重画角の選択等が任意に設定された情報によりデジタルビデオディスク（ＤＶＤ）を再生するディスク再生装置であって、
　不揮発性のメモリを有し、
　制御用マイコンは再生時に少なくともディスクの識別コードと再生位置と任意に設定された情報とを不揮発性のメモリに常に内容を更新して繰り返し記憶させ、
　再生が中断されたときに不揮発性のメモリの記憶内容を保存すると共に、
　次の再生時にディスクの識別コードと不揮発性のメモリに記憶された識別コードが一致したときに再生位置から設定された情報に従って再生を行う
　ディスク再生装置。」
　
（２）対比
　本願補正発明を、先願発明と比較すると、先願発明における「多重言語や多重画角の選択」は、本願補正発明の「映像又は音声情報の表現方法」に相当する。
　先願発明における「デジタルビデオディスク（ＤＶＤ）」は、本願補正発明の「情報記録媒体」に相当する。
　先願発明における「デジタルビデオディスク（ＤＶＤ）を再生するディスク再生装置」は、本願補正発明の「情報記録媒体に記録されている映像または音声情報を再生する再生装置」に相当する。
　先願発明における「ピックアップ装置１、ＲＦアンプ回路３，信号処理回路４，サーボ用マイコン５，駆動機構６、主制御用マイコン７，キー入力装置８」は、本願補正発明の「ドライブ」を構成する要素に他ならない。
　先願発明における「ディスクの識別コード」「再生位置」及び「任意に設定された情報」は、それぞれ本願補正発明の「識別子」「位置情報」及び「設定情報」に相当する。
　先願発明における「不揮発性のメモリ」は、本願補正発明の「不揮発メモリ」に相当する。
　先願発明において「少なくともディスクの識別コードと再生位置と任意に設定された情報とを不揮発性のメモリに常に内容を更新して繰り返し記憶させ」ることは、本願補正発明において「前記位置情報及び前記設定情報を、・・・更新する」ことに相当する。
　
　すると、本願補正発明と先願発明とは次の点で一致する。
＜一致点＞
　映像または音声情報の表現方法を定めた設定情報に従って、情報記録媒体に記録されている映像または音声情報を再生する再生装置であって、
　前記情報記録媒体から前記映像または音声情報を再生するドライブと、
　前記ドライブに装着されている情報記録媒体の識別子と、前記ドライブが再生している映像または音声情報の前記情報記録媒体上の位置を示す位置情報と、前記設定情報と、を互いに対応付けて記憶する不揮発性メモリと、を備え、
　前記位置情報及び前記設定情報を更新する再生装置。
　
　一方で、次の点で一応相違する。
　不揮発性メモリに対する記憶の更新に関し、本願補正発明では「所定の時間又は周期で」としているのに対し、先願発明では「常に」「繰り返し」更新するとしている点。
　
（３）判断
　先願発明において、前記「常に」「繰り返し」更新は、主制御用マイコン７によって実行されるものである。繰り返し更新するためにはマイコンに繰り返し同じルーチンを実行させることは当然であり、そのような動作の実行を「常に」行うことはマイコンに所定の時間（間隔）又は周期で繰り返し行わせることに他ならない。すると、前記一応相違するとした点は、単に表現上の相違程度のものか、ないしはマイコンを使用するに当たって普通に採用される技術手段を記載したにすぎない程度のもので、いずれにしても新たな作用効果を奏するものでもないから、結局のところ実質的な相違とならないものである。
　
　以上のことからすると、本願補正発明は先願発明と実質的に同一であり、しかも、本願の発明者が先願発明をした者と同一ではなく、またこの出願の時において、その出願人が先願の出願人と同一でもないので、特許法第２９条の２の規定により特許を受けることができない。
　
４．本件補正についての結び
　以上のとおり、本願補正発明は、特許法第２９条第２項または特許法第２９条の２の規定により、特許出願の際独立して特許を受けることができないものであるから、本件補正は、平成１５年改正前特許法第１７条の２第５項で準用する同法第１２６条第４項に規定する要件を満たさないものであり、特許法第１５９条第１項で読み替えて準用する同法第５３条第１項の規定により却下すべきものである。
　
　
第３　本願発明について
１．本願発明
　平成１５年１２月２日付けの手続補正は上記のとおり却下されたので、本願の請求項１乃至８に係る発明は、平成１５年９月５日付け手続補正書により補正された明細書の特許請求の範囲の請求項１乃至８に記載されたとおりのものであるところ、請求項１に係る発明（以下、「本願発明」という）は、上記「第２　〔理由〕１．」に本件補正前の請求項１として掲げたとおりのものである。
　
２．引用例
　原査定の拒絶の理由で引用された引用例及びその記載事項は、前記「第２　〔理由〕２．」に記載したとおりである。
　
３．対比・判断
　本願発明は、上記「第２　〔理由〕」で検討した本願補正発明から、「映像または音声情報」及び「映像または音声情報の表現方法を定めた設定情報」を、それぞれ限定を解除して、「記録情報」及び「再生に利用される設定情報」に戻したものに相当する。
　
　そうすると、本願発明の構成要件を全て含み、更に他の要件を付加したものに相当する本願補正発明が前記「第２　〔理由〕２．」に記載したとおり、引用例に記載された発明及び周知事項に基づいて、当業者が容易に発明をすることができたものであるから、本願発明も、同様の理由により、引用例に記載された発明及び周知事項に基づいて当業者が容易に発明をすることができたものである。
　
４．むすび
　以上のとおり、本願の請求項１に係る発明は、特許法第２９条第２項の規定により特許を受けることができないものであるから、その余の請求項について論及するまでもなく、本願は拒絶すべきものである。
　よって、結論のとおり審決する。